(57)【要約】【課題】マルチチャンネル信号における低域成分の再配分を効果的に行う。【解決手段】ＬＦＥ加算部１２により、ＬＦＥ信号ＳLFEはフロント左チャンネル信号ＳFL及びフロント右チャンネル信号ＳFRに加算される。ＬＦＥ信号ＳLFEが加算されたフロント左チャンネル信号ＳFLは、フロント左スピーカ５に出力され、ＬＦＥ信号ＳLFEが加算されたフロント右チャンネル信号ＳFRは、フロント右スピーカ７に出力される。サブチャンネル生成部１３により、ＬＦＥ信号ＳLFEが加算されたフロント左チャンネル信号ＳFL及びフロント右チャンネル信号ＳFR、リア左チャンネル信号ＳRL、リア右チャンネル信号ＳRRが加算され、サブウーファ信号ＳSWが生成される。ＬＰＦ２５により、サブウーファ信号ＳSWの低域成分のみが抽出され、サブウーファ１０に出力される。【選択図】図３
2006129372.tif 000002
【特許請求の範囲】
【請求項１】
音源からの信号に基づいて生成された複数のチャンネル信号及び低域専用信号を入力とし、前記低域専用信号を前記複数のチャンネル信号のいずれかに加算して出力する加算部を備えた信号処理装置において、
前記複数のチャンネル信号のうち前記低域専用信号が加算されたチャンネル信号及び／又は前記低域専用信号が加算されないチャンネル信号から低域成分を抽出して出力するサブチャンネル出力部を備えたことを特徴とする信号処理装置。
【請求項２】
請求項１に記載の信号処理装置において、
前記複数のチャンネル信号は、フロント左チャンネル信号、フロント右チャンネル信号、リア左チャンネル信号及びリア右チャンネル信号を含み、
前記低域専用信号が加算されるチャンネル信号は、前記フロント左チャンネル信号及び／又は前記フロント右チャンネル信号であることを特徴とする信号処理装置。
【請求項３】
請求項１に記載の信号処理装置において、
前記複数のチャンネル信号は、フロント左チャンネル信号、フロント右チャンネル信号、リア左チャンネル信号及びリア右チャンネル信号を含み、
前記低域専用信号が加算されるチャンネル信号は、前記リア左チャンネル信号及び／又は前記リア右チャンネル信号であることを特徴とする信号処理装置。
【請求項４】
音源からの信号に基づいて生成された複数のチャンネル信号及びセンターチャンネル信号を入力とする信号処理装置において、
前記センターチャンネル信号から低域成分を抽出する低域フィルタと、
前記低域フィルタから出力される低域成分を前記複数のチャンネル信号のいずれかに加算する第１の加算部と、
前記第１の加算部の入力側において、前記低域フィルタから出力される低域成分が加算されるチャンネル信号を、前記低域フィルタによる信号遅延時間と整合させるべく遅延させて前記第１の加算部に出力する遅延要素と、
を備えたことを特徴とする信号処理装置。
【請求項５】
請求項４に記載の信号処理装置において、
前記複数のチャンネル信号は、フロント左チャンネル信号、フロント右チャンネル信号、リア左チャンネル信号及びリア右チャンネル信号を含むことを特徴とする信号処理装置。
【請求項６】
請求項４又は５に記載の信号処理装置において、
前記低域フィルタは、直線位相デジタルフィルタであることを特徴とする信号処理装置。
【請求項７】
請求項６に記載の信号処理装置において、
前記直線位相デジタルフィルタの遮断周波数は、任意に変更可能であることを特徴とする信号処理装置。
【請求項８】
請求項４〜７のいずれか一項に記載の信号処理装置において、
当該信号処理装置は、入力として低域専用信号をさらに含み、
前記低域専用信号を前記複数のチャンネル信号のいずれかに加算して出力する第２の加算部と、
前記複数のチャンネル信号のうち前記低域専用信号が加算されたチャンネル信号及び／又は前記低域専用信号が加算されないチャンネル信号から低域成分を抽出して出力するサブチャンネル出力部と、
を備えたことを特徴とする信号処理装置。
【請求項９】
請求項１〜８のいずれか一項に記載の信号処理装置を備えたことを特徴とする音響再生システム。
【発明の詳細な説明】
【技術分野】
【０００１】
本発明は、信号処理装置及び音響再生システムに関する。
【背景技術】
【０００２】
近年、ＤＶＤ（Digital Versatile Disk）等において、ＤＯＬＢＹ（登録商標）、ｄｔｓ（登録商標）等の５．１チャンネル方式の音響再生装置が広く用いられている。５．１チャンネル信号は、聴取位置の前方中央に設置されたセンタースピーカ、聴取位置の前方左右に設置されたフロント左スピーカ及びフロント右スピーカ、聴取位置の後方左右に設置されたリア左スピーカ及びリア右スピーカ、低音再生を行うサブウーファにより、それぞれ再生される。図８に示すように、マルチチャンネルデコーダ５１により符号化データがデコードされ、フロント左チャンネル信号ＳFL、センターチャンネル信号ＳC、フロント右チャンネル信号ＳFR、リア左チャンネル信号ＳRL、リア右チャンネル信号ＳRR、低域専用信号（以下、ＬＦＥ信号という。）ＳLFEに変換される。そして、低音管理処理部５２により、各スピーカへの低域成分の再配分が行われる。
【０００３】
例えば、センタースピーカが小口径で低音が再生できない場合には、センターチャンネル信号ＳCの低域成分をフロント左チャンネル信号ＳFL及びフロント右チャンネル信号ＳFRに指定比率で加算し、センタースピーカへはその低域成分を出力しないようにフィルタをかける方法等が用いられている。
【０００４】
また、サブウーファを用いないシステムにおいて、サブウーファ信号の周波数帯域の一部を再生可能な前左スピーカ、前右スピーカ、後左スピーカ、後右スピーカを用いて、各スピーカのための音響信号の低域周波数成分を遮断したハイパスフィルタ出力と、サブウーファ信号とをそれぞれ加算して、各スピーカに出力するようにした音響装置が提案されている（例えば、特許文献１参照。）。
【特許文献１】特開平１１−８８９９９号公報
【発明の開示】
【発明が解決しようとする課題】
【０００５】
しかし、従来の低音管理処理では、スピーカの再生能力に着目した低域成分の再配分を行っており、全てのスピーカの音が聴取者に届く再生環境が前提とされていた。特に、サブウーファは聴取者の聴取範囲を全てカバーできることが前提とされていた。そのため、音響再生を行う空間が狭い場合、例えば、自動車に搭載される音響再生システムにおいて、以下のような問題があった。
【０００６】
フロント、リア、センターの各スピーカの口径や再生能力、設置位置により、本来想定されている再生条件を満たすことが困難な場合が多かった。特に、サブウーファは、低音が複数の聴取者に同じように届く場所への設置が困難であった。また、設置空間による制限から他のスピーカより低域再生能力があるサブウーファを用いることが困難である場合もあった。また、センタースピーカは、設置位置の制約から低域再生能力の低い小口径のものが多く、フロントやリアのスピーカと同等の再生能力を求めることができなかった。
【０００７】
本発明は、上記の従来技術における問題に鑑みてなされたものであって、マルチチャンネル信号における低域成分の再配分を効果的に行うことができる信号処理装置及び音響再生システムを提供することを課題とする。
【課題を解決するための手段】
【０００８】
請求項１に記載の発明は、音源からの信号に基づいて生成された複数のチャンネル信号及び低域専用信号を入力とし、前記低域専用信号を前記複数のチャンネル信号のいずれかに加算して出力する加算部を備えた信号処理装置において、前記複数のチャンネル信号のうち前記低域専用信号が加算されたチャンネル信号及び／又は前記低域専用信号が加算されないチャンネル信号から低域成分を抽出して出力するサブチャンネル出力部を備えたことを特徴とする。
【０００９】
請求項２に記載の発明は、請求項１に記載の信号処理装置において、前記複数のチャンネル信号は、フロント左チャンネル信号、フロント右チャンネル信号、リア左チャンネル信号及びリア右チャンネル信号を含み、前記低域専用信号が加算されるチャンネル信号は、前記フロント左チャンネル信号及び／又は前記フロント右チャンネル信号であることを特徴とする。
【００１０】
請求項３に記載の発明は、請求項１に記載の信号処理装置において、前記複数のチャンネル信号は、フロント左チャンネル信号、フロント右チャンネル信号、リア左チャンネル信号及びリア右チャンネル信号を含み、前記低域専用信号が加算されるチャンネル信号は、前記リア左チャンネル信号及び／又は前記リア右チャンネル信号であることを特徴とする。
【００１１】
請求項４に記載の発明は、音源からの信号に基づいて生成された複数のチャンネル信号及びセンターチャンネル信号を入力とする信号処理装置において、前記センターチャンネル信号から低域成分を抽出する低域フィルタと、前記低域フィルタから出力される低域成分を前記複数のチャンネル信号のいずれかに加算する第１の加算部と、前記第１の加算部の入力側において、前記低域フィルタから出力される低域成分が加算されるチャンネル信号を、前記低域フィルタによる信号遅延時間と整合させるべく遅延させて前記第１の加算部に出力する遅延要素と、を備えたことを特徴とする。
【００１２】
請求項５に記載の発明は、請求項４に記載の信号処理装置において、前記複数のチャンネル信号は、フロント左チャンネル信号、フロント右チャンネル信号、リア左チャンネル信号及びリア右チャンネル信号を含むことを特徴とする。
【００１３】
請求項６に記載の発明は、請求項４又は５に記載の信号処理装置において、前記低域フィルタは、直線位相デジタルフィルタであることを特徴とする。
【００１４】
請求項７に記載の発明は、請求項６に記載の信号処理装置において、前記直線位相デジタルフィルタの遮断周波数は、任意に変更可能であることを特徴とする。
【００１５】
請求項８に記載の発明は、請求項４〜７のいずれか一項に記載の信号処理装置において、当該信号処理装置は、入力として低域専用信号をさらに含み、前記低域専用信号を前記複数のチャンネル信号のいずれかに加算して出力する第２の加算部と、前記複数のチャンネル信号のうち前記低域専用信号が加算されたチャンネル信号及び／又は前記低域専用信号が加算されないチャンネル信号から低域成分を抽出して出力するサブチャンネル出力部と、を備えたことを特徴とする。
【００１６】
請求項９に記載の発明は、音響再生システムにおいて、請求項１〜８のいずれか一項に記載の信号処理装置を備えたことを特徴とする。
【発明の効果】
【００１７】
本発明によれば、マルチチャンネル信号における低域成分の再配分を効果的に行うことができる。
【発明を実施するための最良の形態】
【００１８】
［第１の実施の形態］
まず、本発明の第１の実施の形態について説明する。ここでは、音響再生を行う空間が狭い場合、例えば、自動車に搭載される音響再生システム１００を例にして説明する。
【００１９】
図１に、第１の実施の形態における音響再生システム１００のシステム構成を示す。図１に示すように、音響再生システム１００は、音源１、信号処理装置２、フロント左スピーカ５、センタースピーカ６、フロント右スピーカ７、リア左スピーカ８、リア右スピーカ９、サブウーファ１０から構成される。
【００２０】
音源１は、ＤＶＤやＣＤ（Compact Disc）等から音響信号を読み取り、信号処理装置２に出力する。
【００２１】
信号処理装置２は、ＤＳＰ（Digital Signal Processor）により構成され、マルチチャンネルデコーダ３と、低音管理処理部４と、を備える。マルチチャンネルデコーダ３は、音源１から出力されたＤＯＬＢＹ、ｄｔｓ等の５．１チャンネル方式に基づいて圧縮されたデジタル信号を伸張して、フロント左チャンネル信号ＳFL、センターチャンネル信号ＳC、フロント右チャンネル信号ＳFR、リア左チャンネル信号ＳRL、リア右チャンネル信号ＳRR、ＬＦＥ信号ＳLFEを生成する。低音管理処理部４は、マルチチャンネルデコーダ３によりデコードされた各信号に対して低域成分の再配分等の各処理を行い、フロント左スピーカ５、センタースピーカ６、フロント右スピーカ７、リア左スピーカ８、リア右スピーカ９、サブウーファ１０に出力する。
【００２２】
図２に示すように、車の前方中央にセンタースピーカ６が設置され、車の前方左右にフロント左スピーカ５及びフロント右スピーカ７が設置され、車の後方左右にリア左スピーカ８及びリア右スピーカ９が設置されている。サブウーファ１０の設置位置は任意であるが、フロント左スピーカ５及びフロント右スピーカ７より後方であることとする。また、フロント左スピーカ５及びフロント右スピーカ７は、センタースピーカ６及びサブウーファ１０より低音再生能力を有していることとする。
【００２３】
図３に、低音管理処理部４の構成を示す。低音管理処理部４は、センター処理部１１、ＬＦＥ加算部１２、サブチャンネル生成部１３、クロスオーバー部１４を含む。
【００２４】
センター処理部１１は、ローパスフィルタ（以下、ＬＰＦという。）２１、加算部４１及び加算部４２を備える。ＬＰＦ２１は、センターチャンネル信号ＳCの低域成分を抽出する。加算部４１、加算部４２は、所定の係数をかけたセンターチャンネル信号ＳCの低域成分をフロント左チャンネル信号ＳFL、フロント右チャンネル信号ＳFRに加算する。
【００２５】
ＬＦＥ加算部１２は、加算部４３及び加算部４４を備える。加算部４３、加算部４４は、所定の係数をかけたＬＦＥ信号ＳLFEをフロント左チャンネル信号ＳFL、フロント右チャンネル信号ＳFRに加算する。ここで、５．１チャンネルは５チャンネルに集約される。ＬＦＥ信号ＳLFEが加算されたフロント左チャンネル信号ＳFLは、フロント左スピーカ５に出力され、ＬＦＥ信号ＳLFEが加算されたフロント右チャンネル信号ＳFRは、フロント右スピーカ７に出力される。
【００２６】
サブチャンネル生成部１３は、加算部４５を備える。加算部４５は、ＬＦＥ信号ＳLFEが加算されたフロント左チャンネル信号ＳFL及びフロント右チャンネル信号ＳFR、リア左チャンネル信号ＳRL、リア右チャンネル信号ＳRRを加算し、サブウーファ信号ＳSWを生成する。フロント左チャンネル信号ＳFL及びフロント右チャンネル信号ＳFRは既にセンターチャンネル信号ＳCの低域成分を含んでいるので、センターチャンネル信号ＳCのサブウーファ信号ＳSWへの加算は行わない。
【００２７】
クロスオーバー部１４は、ハイパスフィルタ（以下、ＨＰＦという。）２２，２３，２４及びＬＰＦ２５を備える。ＨＰＦ２２は、センターチャンネル信号ＳCの高域成分のみを抽出し、センタースピーカ６に出力する。また、ＨＰＦ２３は、リア左チャンネル信号ＳRLの高域成分を抽出してリア左スピーカ８に出力し、ＨＰＦ２４は、リア右チャンネル信号ＳRRの高域成分を抽出してリア右スピーカ９に出力する。また、ＬＰＦ２５は、サブチャンネル生成部１３で生成されたサブウーファ信号ＳSWの低域成分のみを抽出し、サブウーファ１０に出力する。すなわち、サブチャンネル生成部１３及びＬＰＦ２５が特許請求の範囲におけるサブチャンネル出力部に相当する。
【００２８】
図４に、サブウーファ信号ＳSW、フロント左チャンネル信号ＳFL及びフロント右チャンネル信号ＳFRの周波数特性を示す。サブウーファ信号ＳSWは、車室内のスピーカ配置により、フロント左スピーカ５及びフロント右スピーカ７から低音が車室内全体に届きにくい場合の低域再生の補助として有効である。
【００２９】
第１の実施の形態によれば、ＬＦＥ信号ＳLFEをフロント左チャンネル信号ＳFL及びフロント右チャンネル信号ＳFRに加算するので、低音再生能力を有するフロント左スピーカ５及びフロント右スピーカ７により低音の再生を行うことができ、サブウーファ１０がない場合にも対応可能となる。また、ＬＦＥ信号ＳLFEが加算されたフロント左チャンネル信号ＳFL及びフロント右チャンネル信号ＳFR、リア左チャンネル信号ＳRL、リア右チャンネル信号ＳRRを加算し、低域成分のみを抽出してサブウーファ１０に出力するので、各信号の低域成分を補助的に再生することができる。以上のように、マルチチャンネル信号における低域成分の再配分を効果的に行うことができる。
【００３０】
なお、第１の実施の形態では、ＬＦＥ信号ＳLFEをフロント左チャンネル信号ＳFL及びフロント右チャンネル信号ＳFRに加算する場合について説明したが、ＬＦＥ信号ＳLFEをリア左チャンネル信号ＳRL及びリア右チャンネル信号ＳRRに加算することとしてもよい。
【００３１】
図５に、ＬＦＥ信号ＳLFEをリア左チャンネル信号ＳRL及びリア右チャンネル信号ＳRRに加算する場合の低音管理処理部４ａの構成を示す。低音管理処理部４ａにおいて、第１の実施の形態に示した低音管理処理部４と同一の構成部分については同一の符号を付し、その構成については説明を省略する。また、低音管理処理部４ａを備える信号処理装置についても、第１の実施の形態に示した信号処理装置２と同様であるため、図示及び説明を省略する。ここで、リア左スピーカ８及びリア右スピーカ９は、サブウーファ１０より低音再生能力を有していることとする。
【００３２】
図５に示すように、ＬＦＥ加算部１２は、加算部４６及び加算部４７を備える。加算部４６、加算部４７は、所定の係数をかけたＬＦＥ信号ＳLFEをリア左チャンネル信号ＳRL、リア右チャンネル信号ＳRRに加算する。ＬＦＥ信号ＳLFEが加算されたリア左チャンネル信号ＳRLは、リア左スピーカ８に出力され、ＬＦＥ信号ＳLFEが加算されたリア右チャンネル信号ＳRRは、リア右スピーカ９に出力される。
【００３３】
サブチャンネル生成部１３は、加算部４５を備える。加算部４５は、フロント左チャンネル信号ＳFL、フロント右チャンネル信号ＳFR、ＬＦＥ信号ＳLFEが加算されたリア左チャンネル信号ＳRL及びリア右チャンネル信号ＳRRを加算し、サブウーファ信号ＳSWを生成する。
【００３４】
クロスオーバー部１４は、ＨＰＦ２２，２６，２７及びＬＰＦ２５を備える。ＨＰＦ２２は、センターチャンネル信号ＳCの高域成分のみを抽出し、センタースピーカ６に出力する。また、ＨＰＦ２６は、フロント左チャンネル信号ＳFLの高域成分を抽出してフロント左スピーカ５に出力し、ＨＰＦ２７は、フロント右チャンネル信号ＳFRの高域成分を抽出してフロント右スピーカ７に出力する。また、ＬＰＦ２５は、サブチャンネル生成部１３で生成されたサブウーファ信号ＳSWの低域成分のみを抽出し、サブウーファ１０に出力する。
【００３５】
したがって、ＬＦＥ信号ＳLFEをリア左チャンネル信号ＳRL及びリア右チャンネル信号ＳRRに加算するので、低音再生能力を有するリア左スピーカ８及びリア右スピーカ９により低音の再生を行うことができ、サブウーファ１０がない場合にも対応可能となる。また、ＬＦＥ信号ＳLFEが加算されたリア左チャンネル信号ＳRL及びリア右チャンネル信号ＳRR、フロント左チャンネル信号ＳFL、フロント右チャンネル信号ＳFRを加算し、低域成分のみを抽出してサブウーファ１０に出力するので、各信号の低域成分を補助的に再生することができる。以上のように、マルチチャンネル信号における低域成分の再配分を効果的に行うことができる。
【００３６】
［第２の実施の形態］
次に、本発明を適用した第２の実施の形態について説明する。
第２の実施の形態に示す音響再生システムにおいて、第１の実施の形態に示した音響再生システム１００と同一の構成部分については同一の符号を付し、その構成については図示及び説明を省略する。以下、第２の実施の形態に特徴的な構成について説明する。
【００３７】
図６に、第２の実施の形態における低音管理処理部４ｂの構成を示す。図６に示す低音管理処理部４ｂは、第１の実施の形態に示した低音管理処理部４に遅延要素３１〜３６を加えた構成である。なお、フロント左スピーカ５及びフロント右スピーカ７は、センタースピーカ６及びサブウーファ１０より低音再生能力を有していることとする。
【００３８】
センターチャンネル信号ＳCの低域成分を抽出するセンター処理部１１のＬＰＦ２１は、ＦＩＲ（Finite Impulse Response）型直線位相デジタルフィルタで構成されている。したがって、センターチャンネル信号ＳCの低域成分を抽出する際に位相回転が生じない。また、ＬＰＦ２１の遮断周波数は任意に変更可能である。具体的には、ＬＰＦ２１の係数として予め複数の値が設定されており、センタースピーカ６の低域再生能力に応じて、複数の値の中からユーザが選択する。
【００３９】
また、遅延要素３１〜３６は、各信号をＬＰＦ２１による信号遅延時間と整合させるべく遅延させる。これにより、ＬＰＦ２１により抽出されたセンターチャンネル信号ＳCの低域成分とフロント左チャンネル信号ＳFL及びフロント右チャンネル信号ＳFRとの遅延時間が一致する。同様に、ＬＦＥ加算部１２により加算されるＬＦＥ信号ＳLFEとフロント左チャンネル信号ＳFL及びフロント右チャンネル信号ＳFRとの遅延時間が一致する。また、サブチャンネル生成部１３により加算されるフロント左チャンネル信号ＳFL、フロント右チャンネル信号ＳFR、リア左チャンネル信号ＳRL、リア右チャンネル信号ＳRRの遅延時間が一致する。
【００４０】
従来、フィルタには帰還形の２次フィルタを用いることが多く、ＤＳＰでは２次のＩＩＲ（Infinite Impulse Response）型フィルタで構成されていた。この場合、センターチャンネル信号ＳCの低域成分を抽出する際に位相回転が生じ、フロント左チャンネル信号ＳFL及びフロント右チャンネル信号ＳFRとの加算処理の段階で他のチャンネルと位相ずれを起こすため、音質劣化の原因となっていた。
【００４１】
しかし、第２の実施の形態においては、センターチャンネル信号ＳCの低域成分を抽出するためのＬＰＦ２１を直線位相デジタルフィルタで構成することにより、低域成分の位相回転を抑えることができる。また、このフィルタにより生じる群遅延の分だけ他の信号を遅延させて、加算時の信号遅延の一致を図ることで音質劣化を最小限に抑えることができる。したがって、マルチチャンネル信号における低域成分の再配分を効果的に行うことができる。
【００４２】
なお、第２の実施の形態では、ＬＦＥ信号ＳLFEをフロント左チャンネル信号ＳFL及びフロント右チャンネル信号ＳFRに加算する場合について説明したが、ＬＦＥ信号ＳLFEをリア左チャンネル信号ＳRL及びリア右チャンネル信号ＳRRに加算することとしてもよい。
【００４３】
図７に、ＬＦＥ信号ＳLFEをリア左チャンネル信号ＳRL及びリア右チャンネル信号ＳRRに加算する場合の低音管理処理部４ｃの構成を示す。図７に示す低音管理処理部４ｃは、図５に示した低音管理処理部４ａに遅延要素３１〜３６を加えた構成である。遅延要素３１〜３６を加えた効果については、第２の実施の形態に示した低音管理処理部４ｂと同様であるため、説明を省略する。
【００４４】
なお、上記各実施の形態における記述は、本発明に係る好適な信号処理装置の例であり、これに限定されるものではない。信号処理装置の細部構成及び細部動作に関しても本発明の趣旨を逸脱することのない範囲で適宜変更可能である。
【００４５】
例えば、上記各実施の形態では、自動車に搭載される音響再生システムを例にして説明したが、自動車に搭載されるものに限らず、自動車以外の音響再生を行う空間が狭い環境における音響再生システムにも適用可能である。
【図面の簡単な説明】
【００４６】
【図１】本発明の第１の実施の形態における音響再生システム１００のシステム構成図である。
【図２】車室内における各スピーカの設置位置を示す図である。
【図３】低音管理処理部４の構成を示すブロック図である。
【図４】サブウーファ信号ＳSW、フロント左チャンネル信号ＳFL及びフロント右チャンネル信号ＳFRの周波数特性を示すグラフである。
【図５】第１の実施の形態の他の一例における低音管理処理部４ａの構成を示すブロック図である。
【図６】第２の実施の形態における低音管理処理部４ｂの構成を示すブロック図である。
【図７】第２の実施の形態の他の一例における低音管理処理部４ｃの構成を示すブロック図である。
【図８】従来の５．１チャンネル方式の信号処理を示す図である。
【符号の説明】
【００４７】
１００  音響再生システム
１  音源
２  信号処理装置
３  マルチチャンネルデコーダ
４，４ａ，４ｂ，４ｃ  低音管理処理部
５  フロント左スピーカ
６  センタースピーカ
７  フロント右スピーカ
８  リア左スピーカ
９  リア右スピーカ
１０  サブウーファ
１１  センター処理部
１２  ＬＦＥ加算部
１３  サブチャンネル生成部
１４  クロスオーバー部
２１，２５  ＬＰＦ
２２，２３，２４，２６，２７  ＨＰＦ
３１，３２，３３，３４，３５，３６  遅延要素
４１，４２，４３，４４，４５，４６，４７  加算部
ＳFL  フロント左チャンネル信号
ＳC  センターチャンネル信号
ＳFR  フロント右チャンネル信号
ＳRL  リア左チャンネル信号
ＳRR  リア右チャンネル信号
ＳLFE  ＬＦＥ信号
ＳSW  サブウーファ信号
【図１】
2006129372.tif 000003
【図２】
2006129372.tif 000004
【図３】
2006129372.tif 000005
【図４】
2006129372.tif 000006
【図５】
2006129372.tif 000007
【図６】
2006129372.tif 000008
【図７】
2006129372.tif 000009
【図８】
2006129372.tif 000010